(57)【要約】      （修正有）【課題】竿元側は外ガイド式竿体、竿先側は中通し式竿体からなる振出式の釣竿において、釣糸導入孔を釣竿の途中に設けても、穂先側の竿体を竿元側の竿体内部から引き出したり竿元側の竿体内に挿入して収納することが容易にできる釣糸導入ガイドを提供する。【解決手段】振出式釣竿の竿元側の外ガイド式竿体から竿先側の中通し式竿体に移行する箇所で、外ガイド式の最も竿先側の竿体の側部に設けられた軸方向の内径が周方向の内径より長い貫通孔１７の外側に取付ける釣糸導入ガイド２１において、短尺筒体の側面に軸方向の内径が周方向の内径より長い長円形の釣糸導入孔２２を設け、釣糸導入孔２２の竿元側及び竿先側の各断面は外側に凸形状で滑らかな曲線となるように構成し、釣糸導入ガイド２１の釣糸導入孔２２の中心部と竿体の貫通孔１７の中心部が重なる位置で固定できる内径とし、釣糸導入ガイド２１は竿体の竿先側には摺動可能とした。【選択図】図２
0003209714.tif 000002
【実用新案登録請求の範囲】
【請求項１】
振出式釣竿の竿元側の外ガイド式竿体から竿先側の中通し竿体に移行する箇所で、外ガイド式の最も竿先側の竿体の側部に設けられた軸方向の内径が周方向の内径より長い貫通孔の外側に取付ける釣糸導入ガイドにおいて、
短尺筒体の側面に軸方向の内径が周方向の内径より長い長円形の釣糸導入孔を設け、
前記釣糸導入孔の竿元側及び竿先側の各断面は外側に凸形状で滑らかな曲線となるように構成し、
釣糸導入ガイドの内径は前記釣糸導入孔の中心部と竿体の前記貫通孔の中心部が重なる位置で固定できる大きさとし、
釣糸導入ガイドは竿体の竿先側には摺動可能、
とした事を特徴とする釣糸導入ガイド。
【請求項２】
請求項１記載の釣糸導入ガイドであって、
釣糸導入孔の竿元側近傍から釣糸導入ガイドの下端まで、使用する釣糸の直径以上の深さの溝を内径側軸方向に設けたことを特徴とする釣糸導入ガイド。
【請求項３】
請求項１記載の釣糸導入ガイドであって、
釣糸導入孔の竿元側近傍から釣糸導入ガイドの下端までの内径は、釣糸導入ガイドの内径よりも使用する釣糸の直径の２倍以上大きくしたことを特徴とする釣糸導入ガイド。
【請求項４】
請求項１から請求項３記載の釣糸導入ガイドであって、
竿先側の先端部から軸方向に３カ所以上の切込みを入れ、その先端部を内径側に折り曲げたことを特徴とする釣糸導入ガイド。
【請求項５】
請求項１から請求項３記載の釣糸導入ガイドであって、
釣糸導入孔を避けた箇所に、竿先側の先端部から竿元側の先端部まで軸方向に切込みを入れ、断面をＣ字形状としたことを特徴とする釣糸導入ガイド。
【考案の詳細な説明】
【技術分野】
【０００１】  本考案は、振出式釣竿などに適用される釣糸導入ガイドに関する。
【背景技術】
【０００２】  竿元側に配置される長尺筒状の竿体内に、穂先側に配置される長尺竿体を収納可能に順次連結した振出式の釣竿が普及している。このような振出式の釣竿は、穂先側に位置する竿体を竿元側の竿体内部から順次引き出し連結することにより、一本の釣竿として使用することができる。そして、使用しない場合、振出式の釣竿は、穂先側の竿体を竿元側の竿体内部に順次挿入して収納することにより、全長を短くコンパクトにすることができる。【０００３】振出式の釣竿では、各竿体の外周部にそれぞれ環状のガイドが配設された外ガイド式の釣竿と、竿元側から竿体の内部に釣糸を通し、穂先から釣糸を引き出した中通し式の釣竿が普及しており、また外ガイド式と中通し式を組合わせた釣竿など様々な改良品が開発されている。
【先行技術文献】
【特許文献】
【０００４】
【特許文献１】特開平０９−１２１７２６
【特許文献２】特開平１０−３１３７３９
【特許文献３】特開２０００−２７９０５８
【特許文献４】特許５９２５９５１
【考案の概要】
【考案が解決しようとする課題】
【０００５】  しかしながら、振出式の釣竿には、釣糸導入孔を釣竿の途中に設けた場合、穂先側の竿体を竿元側の竿体内部から引き出したり竿元側の竿体内に挿入して収納することが、釣糸導入孔部に取り付ける釣糸導入ガイド構造により竿体の内外径の径方向への寸法制約等から難しい様々な問題がある。【０００６】  本考案は斯かる事情に鑑みたものであり、穂先側の竿体を竿元側の竿体内部から引き出したり竿元側の竿体内に挿入して収納することを容易にすることができる釣糸導入ガイドの提供を目的とする。
【課題を解決するための手段】
【０００７】  上記課題を解決するために、本願記載の釣糸導入ガイドは、
振出式釣竿の竿元側の外ガイド式竿体から竿先側の中通し式竿体に移行する箇所で、外ガイド式の最も竿先側の竿体の側部に設けられた軸方向の内径が周方向の内径より長い貫通孔の外側に取付ける釣糸導入ガイドにおいて、
短尺筒体の側面に軸方向の内径が周方向の内径より長い長円形の釣糸導入孔を設け、
前記釣糸導入孔の竿元側及び竿先側の各断面は外側に凸形状で滑らかな曲線となるように構成し、
釣糸導入ガイドの内径は前記釣糸導入孔の中心部と竿体の前記貫通孔の中心部が重なる位置で固定できる大きさとし、
釣糸導入ガイドは竿体の竿先側には摺動可能、
とした事を特徴とする。【０００８】  また、本願記載の第２の釣糸導入ガイドは、本願記載の第１の釣糸導入ガイドにおいて、釣糸導入孔の竿元側近傍から釣糸導入ガイドの下端まで、使用する釣糸の直径以上の深さの溝を内径側軸方向に設けた
ことを特徴とする【０００９】また、本願記載の第３の釣糸導入ガイドは、本願記載の第１の釣糸導入ガイドにおいて、釣糸導入孔の竿元側近傍から釣糸導入ガイドの下端までの内径は、釣糸導入ガイドの内径よりも使用する釣糸の直径の２倍以上大きくした
ことを特徴とする。【００１０】また、本願記載の第４の釣糸導入ガイドは、本願記載の第１から第３の釣糸導入ガイドにおいて、
竿先側の軸方向に３カ所以上の切込みを入れ、その先端部を内径側にわずかに折り曲げたことを特徴とする。【００１１】また、本願記載の第５の釣糸導入ガイドは、本願記載の第１から第３の釣糸導入ガイドにおいて、
釣糸導入孔を避けた箇所に、竿先側の先端部から竿元側の先端部まで軸方向に切込みを入れ、断面をＣ字形状とした
ことを特徴とする。
【考案の効果】
【００１２】  本考案に係る釣糸導入ガイドは、短尺の筒状をなし、竿体の貫通孔部分の外側に取り付けられ、釣糸導入ガイドの釣糸導入孔は竿体の貫通孔よりも軸方向の内径を小さくし、釣糸と接する釣糸導入孔の竿元側及び竿先側の各断面は外側に凸形状で滑らかな曲線をしており、その内径と竿体の外径の摩擦により竿体の貫通孔と釣糸導入孔の中心が一致する位置で竿体に固定され、竿体の竿先側へは手動で摺動可能に構成されているので、釣糸を竿体外から竿体内へ導入するとき釣糸を傷つけることが無い。
また、釣糸導入ガイドは竿体の外径側に取り付けられ、摺動可能としているので、穂先側の竿体を竿元側の竿体内部から引き出したり竿元側の竿体内に容易に収納することができる等の優れた効果を奏する。竿体の貫通孔部分の強度は竿体の外周に薄板からなる補強部材を密着固定することにより確保することができる。
【図面の簡単な説明】
【００１３】
【図１】は、本考案に係る釣糸導入ガイド付き釣竿の一例を示す概略外観図である。
【図２】は、本考案に係る釣糸導入ガイドの一例を示す概略外観図である。
【図３】は、本考案に係る釣糸導入ガイドの他の一例を示す概略外観図である。
【図４】は、本考案に係る釣糸導入ガイドの他の一例を示す概略外観図である。
【図５】は、本考案に係る釣糸導入ガイドの他の一例を示す概略外観図である。
【図６】は、本考案に係る釣糸導入ガイドの他の一例を示す概略外観図である。
【考案を実施するための形態】
【００１４】  以下、本考案の実施形態について図面を参照しながら説明する。なお、以下の実施形態は、本考案を具現化した一例であって、本考案の技術的範囲を限定する性格のものではない。
【００１５】  図１は、本考案に係る釣竿１の外観の一例を示す概略外観図である。図１は、釣竿１を側面から示す概略外観図であり、図１（ａ）は、釣竿１の全体の外観を示し、図１（ｂ）は、釣竿１の穂先近傍の外観を示している。図１に示す釣竿１は、所謂、振出竿であり、長尺円筒状をなす複数の竿体１０を順次振出式に連結するように構成されている。釣竿１は、全体として竿元側から穂先側にかけて細くなるようにテーパー状に構成されている。釣竿１の穂先に位置する一番竿１１は、最小径の竿体１０であり、一番竿１１の竿元側に連結される竿体１０である二番竿１２は、一番竿１１より大径となるように構成され、更に二番竿１２の竿元側に連結される三番竿１３は、二番竿１２より大径となるように構成されている。このように、図１に例示する釣竿１は、穂先の一番竿１１から竿元の六番竿１６まで６本の竿体１０を順次振出式に連結し、更に六番竿１６の竿元側を把持部（グリップ）に固定して構成されている。なお、竿体１０の本数等の構成は適宜設計することが可能である。
【００１６】  このように構成された釣竿１は、穂先側に位置する竿体１０を竿元側の竿体１０内部から順次引き出した振出状態とすることにより、一本の釣竿１として使用することができる。そして、使用しない場合、釣竿１は、穂先側の竿体１０を竿元側の竿体１０内部に順次挿入して収納することにより、全長を短くコンパクトにすることができる。
【００１７】  釣竿１を構成する三番竿１３から六番竿１６までの各竿体１０は、外ガイド式竿体で穂先側の部位の外周に環状のガイド２が配設されており、更に、把持部の外周には、釣糸Ｌを巻き取るリール３が配設されている。図１（ｂ）に示すように二番竿１２の側部にあたる外周部分には、貫通孔１７（図示していない）が開設され、通常、貫通孔１７を設けたことによる竿体の強度を補強するために貫通孔１７の外周に補強チューブ１８（図示していない）が固着されており、その外側に釣糸導入ガイド２１が配設されている。リール３から引き出された釣糸Ｌは、六番竿１６に配設されたガイド２から三番竿１３に配設されたガイド２まで順次挿通して案内され、更に、二番竿１２に配設された釣糸導入ガイド２１の釣糸導入孔２２、補強ガイド１８の貫通孔、二番竿１２の貫通孔１７を挿通し、中通し式竿体である一番竿１１の竿体内部を通り先端部分となる穂先部から外部へと引き出される。長尺円筒状をなす各竿体１０の内部は、竿体を収納可能な中空に形成されており、一番竿１１の先端部分は釣糸Ｌを挿通可能に開口している。穂先部から外部へ延伸される釣糸Ｌの先端部分には釣り針、錘等の図示しない仕掛けが結着されている。
【００１８】  図２は、本考案に係る第１の釣糸導入ガイド２１の外観を示す概略外観図で二番竿１２の貫通孔１７の外側に配設した釣糸導入ガイド２１を拡大して示しており、図（ａ）は釣糸導入孔２２を上から見た平面図を、図（ｂ）は図（ａ）のＡ−Ａ断面図、図（ｃ）は釣糸導入ガイド２１を竿元側から見た側面図である。なお、釣糸導入ガイド２１の内径側となる二番竿１２、貫通孔１７、補強チューブ１８を細い一点鎖線で示しており、釣糸Ｌを太い一点鎖線で示している。前記貫通孔１７は、円形としてもよいが、釣糸Ｌと釣糸導入孔２２の摩擦抵抗を小さくするために軸方向（二番竿１２の長手方向）の内径が周方向の内径より長い長円状に形成されている。釣糸導入ガイド２１は短尺で金属製の円筒状をしており、その円筒の側面に釣糸導入孔２２を形成している。釣糸導入孔２２は二番竿１２の貫通孔１７よりも小さく、軸方向（釣竿１の長手方向）の内径が周方向の内径より長い長円状に形成されており、釣糸導入孔２２の竿先側２３、竿元側２４は各断面が外側に凸形状で滑らかな曲線または円弧状に形成し、釣糸Ｌの損耗を防止するようにしている。また、釣糸導入孔２２の直線部や釣糸導入ガイドの各端面は釣糸Ｌとの摩擦による損耗を防止するため、適宜、角を丸く加工している。また、釣糸導入ガイド２１の穂先側、竿元側の内径側端面も適宜円弧状曲面とし、二番竿１２が撓んでもこれらの箇所の竿体に力の集中が生じないようにしている。
【００１９】釣糸導入ガイド２１の内径は、竿元側が太く竿先側が細いテーパー状に構成されている二番竿１２の貫通孔１７の中心と釣糸導入ガイド２１の釣糸導入孔２２の中心が
一致したカ所で固定されるよう内径を選定している。すなわち、釣糸導入ガイド２１は二番竿１２の穂先側への摺動は可能であるが、貫通孔１７の位置で固定され竿元側へは移動しない内径としている。各竿体を振出し状態で釣竿１として使用する時は釣糸導入ガイド２１は貫通孔１７の位置で固定されるが、二番竿１２を三番竿１３に収納する場合は、釣糸導入ガイド２１は二番竿１２の竿先側には摺動可能に構成されているので、釣糸導入ガイド２１を上端が二番竿１２の先端部まで摺動して収納できるので、釣竿１をコンパクトにできる。二番竿１２の竿先側先端には釣糸導入ガイド２１が抜け落ちないようストッパー１９（図示せず）を設けている。釣糸導入ガイド２１は金属製としたが、釣糸導入孔２２の上端部、下端部に耐摩耗性硬質材料からなるガイドを嵌め込んで構成することも可能である。
【００２０】  図３は、本考案に係る第２の釣糸導入ガイド３１を示す概略外観図であり、二番竿１２の貫通孔１７の外側に配設した補強チューブ１８、釣糸導入ガイド３１を拡大して示しており、図（ａ）は釣糸導入孔３２を上から見た平面図を、図（ｂ）は図（ａ）のＡ−Ａ断面図、図（ｃ）は釣糸導入ガイドを３１を竿元側から見た側面図である。釣糸導入ガイド３１は短尺で金属製の円筒状をしており、その円筒の側面に釣糸導入孔３２を形成している。釣糸導入ガイド３１の内径側に釣糸導入孔３２の下端部から釣糸導入ガイド３１の下端まで釣糸逃がし溝３５を設けている。釣糸逃がし溝３５の幅は釣糸導入孔３２の幅の４倍程度、その深さは使用する釣糸の太さ以上とし、釣糸Ｌを釣竿１に付けたまま収納する場合、釣糸導入ガイド３１を竿先側に摺動するとき、釣糸Ｌが太い場合に補強チューブ１８と釣糸導入ガイド３１の下端部に釣糸Ｌを挟み込んで釣糸Ｌに損傷を与えるのを防止しするようにしている。釣糸導入ガイド３１の釣糸逃がし溝３５の深さは、使用する釣糸Ｌの太さ以上としているので、釣糸Ｌを挟み込んで釣糸Ｌを損傷することは無い。
【００２１】図４は、本考案に係る第３の釣糸導入ガイド４１示す概略外観図であり、二番竿１２の貫通孔１７の外側に配設した補強チューブ１８、釣糸導入ガイド４１を拡大して示しており、図（ａ）は釣糸導入孔４２を上から見た平面図を、図（ｂ）は図（ａ）のＡ−Ａ断面図、図（ｃ）は釣糸導入ガイドを４１を竿元側から見た側面図である。釣糸導入ガイド４１は短尺で金属製の円筒状をしており、その円筒の側面に釣糸導入孔４２を形成している。
釣糸導入孔４２の竿元側近傍から釣糸導入ガイド４１の下端までの内径は、釣糸導入ガイド４１の竿先側の内径よりも使用する釣糸の直径の２倍以上大きくした釣糸逃がし円４５を形成して釣糸逃し隙間を設けている。釣糸逃がし円４５の直径は使用する釣糸の太さを考慮し、釣糸Ｌを通したまま釣糸導入ガイド４１を竿先側に摺動するとき、補強チューブ１８と釣糸導入ガイド４１の下部部分が擦れ合って釣糸Ｌに損傷を与えないようにしている。釣糸糸導入ガイド４１の釣糸逃がし円４５の直径と補強ガイド１８の隙間は、使用する釣糸Ｌの太さ以上としているので、釣糸Ｌが損傷することは無い。
【００２２】図５は、本考案に係る第４の釣糸導入ガイド５１示す概略外観図であり、二番竿１２の貫通孔１７の外側に配設した補強チューブ１８、釣糸導入ガイド５１を拡大して示しており、図（ａ）は釣糸導入孔５２を上から見た平面図を、図（ｂ）は図（ａ）のＡ−Ａ断面図、図（ｃ）は釣糸導入ガイドを５１を竿先側から見た側面図である。釣糸導入ガイド５１は短尺で金属製の円筒状をしており、その円筒の側面に釣糸導入孔５２を形成している。釣糸導入ガイド５１の竿先側の先端部から軸方向に４カ所の切込みを入れ、その長さは先端部と釣糸導入孔５２の中間部までとしている。そして、４分割し先端部を内径側に折り曲げたので、４分割部のバネ効果もあり釣糸導入ガイド５１の釣糸導入孔５２とを二番竿１２の貫通孔１７の中心を合わせる調整が容易に行えるようになっている。４分割した先端部の内径側への折り曲げはわずかでよく、即ち、先端部で形成する内接円が二番竿１２の竿先側先端部の外径程度でよい。
なお、釣糸導入ガイド５１を竿体上を摺動するのがきつい場合は分割数を多く、ゆるい場合は分割数を少なくすればよい。また、切込み長さを長くすればバネ特性は柔らかくなり、切込み長さを短くすればバネ特性は硬くできる。
【００２３】図６は、本考案に係る第５の釣糸導入ガイド６１示す概略外観図であり、二番竿１２の貫通孔１７の外側に配設した補強チューブ１８、釣糸導入ガイド６１を拡大して示しており、図（ａ）は釣糸導入孔６２を上から見た平面図を、図（ｂ）は図（ａ）のＡ−Ａ断面図、図（ｃ）は釣糸導入ガイドを６１を竿先側から見た側面図である。釣糸導入ガイド６１は短尺で金属製の円筒状をしており、その円筒の側面に釣糸導入孔６２を形成している。釣糸導入ガイド６１の釣糸導入孔６２を避けた箇所に、竿先側の先端部から竿元側の先端部まで軸方向に切込み６５を入れ、径方向断面をＣ字形状としている。
断面をＣ字形状としたので、Ｃ字構造のバネ効果により釣糸導入ガイド５１の釣糸導入孔６２と二番竿１２の貫通孔１７の中心を合わせる調整が容易に行えるようになっている。なお、釣糸導入ガイド６１を竿体上を摺動するのがきつい場合は切込み６５の幅が広くなるように拡管し狭くし、ゆるい場合は切込み６５の幅が狭くなるように締め込めばよい。
【００２４】  以上のように構成された上述の釣糸導入ガイドを竿体の途中に配設することにより、竿体に貫通孔を設けて釣糸を外ガイドから竿体内部へ挿通しても貫通孔や釣糸に損傷を与えることが無く、穂先側の竿体を竿元側の竿体内部から引き出したり竿元側の竿体内に挿入して収納することの不便や、竿体の収納長さをコンパクトに収納できる。振出式釣竿の竿元側の外ガイド式竿体から竿先側の中通し式竿体に移行する箇所で、本釣糸導入ガイドを適用することにより、外ガイド式の振出釣竿の弱点と中通し式釣竿の弱点を克服した振出式釣竿を得ることが出来る。
【００２５】      本考案は、以上説明した実施形態に限定されるものではなく、他のいろいろな形態で実施することが可能である。そのため、上述した実施形態はあらゆる点で単なる例示にすぎず、限定的に解釈してはならない。本考案の範囲は請求の範囲によって示すものであって、明細書本文には、なんら拘束されない。更に、請求の範囲の均等範囲に属する変形及び変更は、全て本考案の範囲内のものである。
【符号の説明】
【００２６】１      釣竿
２      ガイド
３      リール
１０    竿体
１１，１２，１３，…，１６    一番竿、二番竿、三番竿、…、六番竿
１７  貫通孔
１８  補強チューブ
１９  ストッパー
２１  釣糸導入ガイド
２２  釣糸導入孔
２３  釣糸導入孔の竿先側の円弧部
２４  釣糸導入孔の竿元側の円弧部
３１  釣糸導入ガイド
３２  釣糸導入孔
３３  釣糸導入孔の竿先側の円弧部
３４  釣糸導入孔の竿元側の円弧部
３５  釣糸逃し溝
４１  釣糸導入ガイド
４２  釣糸導入孔
４３  釣糸導入孔の竿先側の円弧部
４４  釣糸導入孔の竿元側の円弧部
４５  釣糸逃隙間
５１  釣糸導入ガイド
５２  釣糸導入孔
５３  釣糸導入孔の竿先側の円弧部
５４  釣糸導入孔の竿元側の円弧部
５５  切込み
６１  釣糸導入ガイド
６２  釣糸導入孔
６３  釣糸導入孔の竿先側の円弧部
６４  釣糸導入孔の竿元側の円弧部
６５  切込み
Ｌ    釣糸
【図１】
0003209714.tif 000003
【図２】
0003209714.tif 000004
【図３】
0003209714.tif 000005
【図４】
0003209714.tif 000006
【図５】
0003209714.tif 000007
【図６】
0003209714.tif 000008